【手続補正書】
【提出日】平成18年3月22日(2006.3.22)
【手続補正１】
【補正対象書類名】明細書
【補正対象項目名】発明の名称
【補正方法】変更
【補正の内容】
【発明の名称】送金システム、プログラム及び送金方法
【手続補正２】
【補正対象書類名】明細書
【補正対象項目名】特許請求の範囲
【補正方法】変更
【補正の内容】
【特許請求の範囲】
【請求項１】
買手ユーザと売手ユーザとの取引に基づいて、上記買手ユーザの取引口座から上記売手ユーザの取引口座へ売買代金を送金させる送金システムにおいて、
上記買手ユーザ及び売手ユーザを特定するユーザＩＤ、取引口座ＩＤ、上記取引に基づく取引データを含む取引データベースを記憶する取引データベース記憶手段と、
上記買手ユーザ又は上記売手ユーザのうち少なくとも一方からの送金指令を取得する送金指令取得手段と、
上記送金指令と上記取引データベースとを照合する照合手段と、
上記照合手段による照合の結果、上記送金指令が正当な場合に、上記取引データベースから取引口座ＩＤを抽出する抽出手段と、
この抽出手段により抽出された上記取引口座ＩＤに基づいて上記買手ユーザの取引口座から上記売手ユーザの取引口座へ上記売買代金の振替を指示する振替指示手段とを備えていることを特徴とする送金システム。
【請求項２】
上記送金指令は、上記買手ユーザから上記売手ユーザのユーザＩＤ及び売買代金を含む送金希望通知であることを特徴とする請求項１に記載の送金システム。
【請求項３】
上記送金指令は、上記売手ユーザからの上記売買代金の受領希望通知をさらに含むことを特徴とする請求項２に記載の送金システム。
【請求項４】
上記送金指令は、上記売手ユーザから上記買手ユーザのユーザＩＤ及び売買代金を含む送金要求通知であることを特徴とする請求項１に記載の送金システム。
【請求項５】
上記送金指令は、上記買手ユーザからの上記売買代金の送金許可通知をさらに含むことを特徴とする請求項４に記載の送金システム。
【請求項６】
買手ユーザと売手ユーザとの取引に基づいて、上記買手ユーザの取引口座から上記売手ユーザの取引口座へ売買代金を送金させる送金システムにおいて、
上記買手ユーザからの上記売手ユーザのユーザＩＤ及び売買代金額を含む送金希望データを取得する送金希望データ取得手段と、
上記送金希望データに基づいて上記買手ユーザ及び上記売手ユーザのユーザＩＤ、取引口座ＩＤ、取引履歴データを含む取引データベースに照会データを送信する照会データ送信手段と、
上記取引データベースからの上記買手ユーザ及び上記売手ユーザの取引口座ＩＤと、売買代金額とを含む送金データを取得する送金データ取得手段と、
上記送金データに基づいて、上記買手ユーザの取引口座から上記売手ユーザの取引口座へ上記売買代金の振替を指示する振替指示手段とを備えていることを特徴とする送金システム。
【請求項７】
コンピュータを動作させるためのプログラムにおいて、
買手ユーザ及び売手ユーザを特定するユーザＩＤ、取引口座ＩＤ、取引に基づく取引データを含む取引データベースを記憶させる取引データベース記憶手段と、
上記買手ユーザ又は上記売手ユーザのうち少なくとも一方からの送金指令を取得する送金指令取得手段と、
上記送金指令と上記取引データベースとを照合する照合手段と、
上記照合手段による照合の結果、上記送金指令が正当な場合に、上記取引データベースから取引口座ＩＤを抽出する抽出手段と、
この抽出手段により抽出された上記取引口座ＩＤに基づいて上記買手ユーザの取引口座から上記売手ユーザの取引口座へ上記売買代金の振替を指示する振替指示手段とを備えていることを特徴とするプログラム。
【請求項８】
第１ユーザの取引口座から第２ユーザの取引口座へ売買代金を送金させる送金システムにおいて、
上記第１ユーザ及び第２ユーザを特定するユーザＩＤ、取引口座ＩＤを含むユーザデータベースを記憶するユーザデータベース記憶手段と、
上記第１ユーザ又は上記第２ユーザのうち少なくとも一方からの送金指令を取得する送金指令取得手段と、
上記送金指令と上記ユーザデータベースとを照合する照合手段と、
上記照合手段による照合の結果、上記送金指令が正当な場合に、上記ユーザデータベースから取引口座ＩＤを抽出する抽出手段と、
この抽出手段により抽出された上記取引口座ＩＤに基づいて上記第１ユーザの取引口座から上記第２ユーザの取引口座へ上記売買代金の振替を指示する振替指示手段とを備えていることを特徴とする送金システム。
【請求項９】
仲介業者を介して行う買手ユーザと売手ユーザとの取引に基づいて、上記買手ユーザの取引口座から上記売手ユーザの取引口座へ売買代金を送金させる送金システムにおいて、
上記買手ユーザ及び売手ユーザを特定するユーザＩＤ、取引口座ＩＤ、上記取引に基づく取引データを含む取引データベースを記憶する取引データベース記憶手段と、
上記買手ユーザ又は上記売手ユーザのうち少なくとも一方からの送金指令を取得する送金指令取得手段と、
上記送金指令と上記取引データベースとを照合する照合手段と、
上記照合手段による照合の結果、上記送金指令が正当な場合に、上記取引データベースから取引口座ＩＤを抽出する抽出手段と、
この抽出手段により抽出された上記取引口座ＩＤに基づいて上記買手ユーザの取引口座から上記仲介業者の取引口座へ上記売買代金の振替を指示するとともに、上記仲介業者の取引口座から上記売手ユーザの取引口座へ上記売買代金の振替を指示する振替指示手段とを備えていることを特徴とする送金システム。
【請求項１０】
仲介業者を介して行う買手ユーザと売手ユーザとの取引に基づいて、上記買手ユーザの取引口座から上記売手ユーザの取引口座へ売買代金を送金させる送金システムにおいて、
上記買手ユーザからの上記売手ユーザのユーザＩＤ及び売買代金額を含む送金希望データを取得する送金希望データ取得手段と、
上記送金希望データに基づいて上記買手ユーザ及び上記売手ユーザのユーザＩＤ、取引口座ＩＤ、取引履歴データを含む取引データベースに照会データを送信する照会データ送信手段と、
上記取引データベースからの上記買手ユーザ及び上記売手ユーザの取引口座ＩＤと、売買代金額とを含む送金データを取得する送金データ取得手段と、
上記送金データに基づいて、上記買手ユーザの取引口座から上記仲介業者の取引口座へ上記売買代金の振替を指示するとともに、上記仲介業者の取引口座から上記売手ユーザの取引口座へ上記売買代金の振替を指示する振替指示手段とを備えていることを特徴とする送金システム。
【請求項１１】
コンピュータを動作させるためのプログラムにおいて、
買手ユーザ及び売手ユーザを特定するユーザＩＤ、取引口座ＩＤ、取引に基づく取引データを含む取引データベースを記憶させる取引データベース記憶手段と、
上記買手ユーザ又は上記売手ユーザのうち少なくとも一方からの送金指令を取得する送金指令取得手段と、
上記送金指令と上記取引データベースとを照合する照合手段と、
上記照合手段による照合の結果、上記送金指令が正当な場合に、上記取引データベースから取引口座ＩＤを抽出する抽出手段と、
この抽出手段により抽出された上記取引口座ＩＤに基づいて上記買手ユーザの取引口座から仲介業者の取引口座へ上記売買代金の振替を指示するとともに、上記仲介業者の取引口座から上記売手ユーザの取引口座へ上記売買代金の振替を指示する振替指示手段とを備えていることを特徴とするプログラム。
【請求項１２】
第１ユーザの取引口座から第２ユーザの取引口座へ売買代金を送金させる送金システムにおいて、
上記第１ユーザ及び第２ユーザを特定するユーザＩＤ、取引口座ＩＤを含むユーザデータベースを記憶するユーザデータベース記憶手段と、
上記第１ユーザ又は上記第２ユーザのうち少なくとも一方からの送金指令を取得する送金指令取得手段と、
上記送金指令と上記ユーザデータベースとを照合する照合手段と、
上記照合手段による照合の結果、上記送金指令が正当な場合に、上記ユーザデータベースから取引口座ＩＤを抽出する抽出手段と、
この抽出手段により抽出された上記取引口座ＩＤに基づいて上記第１ユーザの取引口座から仲介業者の取引口座へ上記売買代金の振替を指示するとともに、上記仲介業者の取引口座から上記第２ユーザの取引口座へ上記売買代金の振替を指示する振替指示手段とを備えていることを特徴とする送金システム。
【請求項１３】
買手ユーザと売手ユーザとの取引に基づいて、上記買手ユーザの取引口座から上記売手ユーザの取引口座へ売買代金を送金させる送金方法において、
上記買手ユーザ及び売手ユーザを特定するユーザＩＤ、取引口座ＩＤ、上記取引に基づく取引データを含む取引データベースを記憶する取引データベース記憶ステップと、
上記買手ユーザ又は上記売手ユーザのうち少なくとも一方からの送金指令を取得する送金指令取得ステップと、
上記送金指令と上記取引データベースとを照合する照合ステップと、
上記照合ステップによる照合の結果、上記送金指令が正当な場合に、上記取引データベースから取引口座ＩＤを抽出する抽出ステップと、
この抽出ステップにより抽出された上記取引口座ＩＤに基づいて上記買手ユーザの取引口座から上記売手ユーザの取引口座へ上記売買代金の振替を指示する振替指示ステップとを備えていることを特徴とする送金方法。
【請求項１４】
買手ユーザと売手ユーザとの取引に基づいて、上記買手ユーザの取引口座から上記売手ユーザの取引口座へ売買代金を送金させる送金方法において、
上記買手ユーザからの上記売手ユーザのユーザＩＤ及び売買代金額を含む送金希望データを取得する送金希望データ取得ステップと、
上記送金希望データに基づいて上記買手ユーザ及び上記売手ユーザのユーザＩＤ、取引口座ＩＤ、取引履歴データを含む取引データベースに照会データを送信する照会データ送信ステップと、
上記取引データベースからの上記買手ユーザ及び上記売手ユーザの取引口座ＩＤと、売買代金額とを含む送金データを取得する送金データ取得ステップと、
上記送金データに基づいて、上記買手ユーザの取引口座から上記売手ユーザの取引口座へ上記売買代金の振替を指示する振替指示ステップとを備えていることを特徴とする送金方法。
【請求項１５】
第１ユーザの取引口座から第２ユーザの取引口座へ売買代金を送金させる送金方法において、
上記第１ユーザ及び第２ユーザを特定するユーザＩＤ、取引口座ＩＤを含むユーザデータベースを記憶するユーザデータベース記憶ステップと、
上記第１ユーザ又は上記第２ユーザのうち少なくとも一方からの送金指令を取得する送金指令取得ステップと、
上記送金指令と上記ユーザデータベースとを照合する照合ステップと、
上記照合ステップによる照合の結果、上記送金指令が正当な場合に、上記ユーザデータベースから取引口座ＩＤを抽出する抽出ステップと、
この抽出手段により抽出された上記取引口座ＩＤに基づいて上記第１ユーザの取引口座から上記第２ユーザの取引口座へ上記売買代金の振替を指示する振替指示ステップとを備えていることを特徴とする送金方法。
【手続補正３】
【補正対象書類名】明細書
【補正対象項目名】０００１
【補正方法】変更
【補正の内容】
【０００１】
【発明の属する技術分野】
本発明は、ネットオークションやオンラインショッピング等の取引で発生した売買代金等の送金を行うための送金システム、プログラム及び送金方法に関する。
【手続補正４】
【補正対象書類名】明細書
【補正対象項目名】０００４
【補正方法】変更
【補正の内容】
【０００４】
そこで本発明は、売買代金の送金を簡単、かつ、安全に行うことができる送金システム、プログラム及び送金方法を提供することを目的としている。
【手続補正５】
【補正対象書類名】明細書
【補正対象項目名】０００５
【補正方法】変更
【補正の内容】
【０００５】
【課題を解決するための手段】
上記課題を解決し目的を達成するために、本発明の送金システム、プログラム及び送金方法は次のように構成されている。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
（７）コンピュータを動作させるためのプログラムにおいて、買手ユーザ及び売手ユーザを特定するユーザＩＤ、取引口座ＩＤ、取引に基づく取引データを含む取引データベースを記憶させる取引データベース記憶手段と、上記買手ユーザ又は上記売手ユーザのうち少なくとも一方からの送金指令を取得する送金指令取得手段と、上記送金指令と上記取引データベースとを照合する照合手段と、上記照合手段による照合の結果、上記送金指令が正当な場合に、上記取引データベースから取引口座ＩＤを抽出する抽出手段と、この抽出手段により抽出された上記取引口座ＩＤに基づいて上記買手ユーザの取引口座から上記売手ユーザの取引口座へ上記売買代金の振替を指示する振替指示手段とを備えていることを特徴とする。
【手続補正８】
【補正対象書類名】明細書
【補正対象項目名】００１４
【補正方法】変更
【補正の内容】
【００１４】
（８）第１ユーザの取引口座から第２ユーザの取引口座へ売買代金を送金させる送金システムにおいて、上記第１ユーザ及び第２ユーザを特定するユーザＩＤ、取引口座ＩＤを含むユーザデータベースを記憶するユーザデータベース記憶手段と、上記第１ユーザ又は上記第２ユーザのうち少なくとも一方からの送金指令を取得する送金指令取得手段と、上記送金指令と上記ユーザデータベースとを照合する照合手段と、上記照合手段による照合の結果、上記送金指令が正当な場合に、上記ユーザデータベースから取引口座ＩＤを抽出する抽出手段と、この抽出手段により抽出された上記取引口座ＩＤに基づいて上記第１ユーザの取引口座から上記第２ユーザの取引口座へ上記売買代金の振替を指示する振替指示手段とを備えていることを特徴とする。
（９）仲介業者を介して行う買手ユーザと売手ユーザとの取引に基づいて、上記買手ユーザの取引口座から上記売手ユーザの取引口座へ売買代金を送金させる送金システムにおいて、上記買手ユーザ及び売手ユーザを特定するユーザＩＤ、取引口座ＩＤ、上記取引に基づく取引データを含む取引データベースを記憶する取引データベース記憶手段と、上記買手ユーザ又は上記売手ユーザのうち少なくとも一方からの送金指令を取得する送金指令取得手段と、上記送金指令と上記取引データベースとを照合する照合手段と、上記照合手段による照合の結果、上記送金指令が正当な場合に、上記取引データベースから取引口座ＩＤを抽出する抽出手段と、この抽出手段により抽出された上記取引口座ＩＤに基づいて上記買手ユーザの取引口座から上記仲介業者の取引口座へ上記売買代金の振替を指示するとともに、上記仲介業者の取引口座から上記売手ユーザの取引口座へ上記売買代金の振替を指示する振替指示手段とを備えていることを特徴とする。
（１０）仲介業者を介して行う買手ユーザと売手ユーザとの取引に基づいて、上記買手ユーザの取引口座から上記売手ユーザの取引口座へ売買代金を送金させる送金システムにおいて、上記買手ユーザからの上記売手ユーザのユーザＩＤ及び売買代金額を含む送金希望データを取得する送金希望データ取得手段と、上記送金希望データに基づいて上記買手ユーザ及び上記売手ユーザのユーザＩＤ、取引口座ＩＤ、取引履歴データを含む取引データベースに照会データを送信する照会データ送信手段と、上記取引データベースからの上記買手ユーザ及び上記売手ユーザの取引口座ＩＤと、売買代金額とを含む送金データを取得する送金データ取得手段と、上記送金データに基づいて、上記買手ユーザの取引口座から上記仲介業者の取引口座へ上記売買代金の振替を指示するとともに、上記仲介業者の取引口座から上記売手ユーザの取引口座へ上記売買代金の振替を指示する振替指示手段とを備えていることを特徴とする。
（１１）コンピュータを動作させるためのプログラムにおいて、買手ユーザ及び売手ユーザを特定するユーザＩＤ、取引口座ＩＤ、取引に基づく取引データを含む取引データベースを記憶させる取引データベース記憶手段と、上記買手ユーザ又は上記売手ユーザのうち少なくとも一方からの送金指令を取得する送金指令取得手段と、上記送金指令と上記取引データベースとを照合する照合手段と、上記照合手段による照合の結果、上記送金指令が正当な場合に、上記取引データベースから取引口座ＩＤを抽出する抽出手段と、この抽出手段により抽出された上記取引口座ＩＤに基づいて上記買手ユーザの取引口座から仲介業者の取引口座へ上記売買代金の振替を指示するとともに、上記仲介業者の取引口座から上記売手ユーザの取引口座へ上記売買代金の振替を指示する振替指示手段とを備えていることを特徴とする。
（１２）第１ユーザの取引口座から第２ユーザの取引口座へ売買代金を送金させる送金システムにおいて、上記第１ユーザ及び第２ユーザを特定するユーザＩＤ、取引口座ＩＤを含むユーザデータベースを記憶するユーザデータベース記憶手段と、上記第１ユーザ又は上記第２ユーザのうち少なくとも一方からの送金指令を取得する送金指令取得手段と、上記送金指令と上記ユーザデータベースとを照合する照合手段と、上記照合手段による照合の結果、上記送金指令が正当な場合に、上記ユーザデータベースから取引口座ＩＤを抽出する抽出手段と、この抽出手段により抽出された上記取引口座ＩＤに基づいて上記第１ユーザの取引口座から仲介業者の取引口座へ上記売買代金の振替を指示するとともに、上記仲介業者の取引口座から上記第２ユーザの取引口座へ上記売買代金の振替を指示する振替指示手段とを備えていることを特徴とする。
（１３）買手ユーザと売手ユーザとの取引に基づいて、上記買手ユーザの取引口座から上記売手ユーザの取引口座へ売買代金を送金させる送金方法において、上記買手ユーザ及び売手ユーザを特定するユーザＩＤ、取引口座ＩＤ、上記取引に基づく取引データを含む取引データベースを記憶する取引データベース記憶ステップと、上記買手ユーザ又は上記売手ユーザのうち少なくとも一方からの送金指令を取得する送金指令取得ステップと、上記送金指令と上記取引データベースとを照合する照合ステップと、上記照合ステップによる照合の結果、上記送金指令が正当な場合に、上記取引データベースから取引口座ＩＤを抽出する抽出ステップと、この抽出ステップにより抽出された上記取引口座ＩＤに基づいて上記買手ユーザの取引口座から上記売手ユーザの取引口座へ上記売買代金の振替を指示する振替指示ステップとを備えていることを特徴とする。
（１４）買手ユーザと売手ユーザとの取引に基づいて、上記買手ユーザの取引口座から上記売手ユーザの取引口座へ売買代金を送金させる送金方法において、上記買手ユーザからの上記売手ユーザのユーザＩＤ及び売買代金額を含む送金希望データを取得する送金希望データ取得ステップと、上記送金希望データに基づいて上記買手ユーザ及び上記売手ユーザのユーザＩＤ、取引口座ＩＤ、取引履歴データを含む取引データベースに照会データを送信する照会データ送信ステップと、上記取引データベースからの上記買手ユーザ及び上記売手ユーザの取引口座ＩＤと、売買代金額とを含む送金データを取得する送金データ取得ステップと、上記送金データに基づいて、上記買手ユーザの取引口座から上記売手ユーザの取引口座へ上記売買代金の振替を指示する振替指示ステップとを備えていることを特徴とする。
（１５）第１ユーザの取引口座から第２ユーザの取引口座へ売買代金を送金させる送金方法において、上記第１ユーザ及び第２ユーザを特定するユーザＩＤ、取引口座ＩＤを含むユーザデータベースを記憶するユーザデータベース記憶ステップと、上記第１ユーザ又は上記第２ユーザのうち少なくとも一方からの送金指令を取得する送金指令取得ステップと、上記送金指令と上記ユーザデータベースとを照合する照合ステップと、上記照合ステップによる照合の結果、上記送金指令が正当な場合に、上記ユーザデータベースから取引口座ＩＤを抽出する抽出ステップと、この抽出手段により抽出された上記取引口座ＩＤに基づいて上記第１ユーザの取引口座から上記第２ユーザの取引口座へ上記売買代金の振替を指示する振替指示ステップとを備えていることを特徴とする。